(57)【要約】【課題】取り回しが良好で安定載置のできる吸引嘴管を提供すること。【解決手段】  基端側にチューブ４０を取り付け、手術中に血液その他の体液を吸引する吸引嘴管１であって、中途で少なくとも一箇所曲げられた管体１０と、管体１０先端に取り付けられた吸引口２０と、管体１０基端に取り付けられ、管体１０の軸に対して回動可能なチューブ接続部３０と、を具備し、チューブ４０のねじれを手もとで解消可能としたたことを特徴とする吸引嘴管１。【選択図】図１
2014054343.tif 000002
【特許請求の範囲】
【請求項１】
基端側にチューブを取り付け、手術中に血液その他の体液を吸引する吸引嘴管であって、
中途で少なくとも一箇所曲げられた管体と、
管体先端に取り付けられた吸引口と、
管体基端に取り付けられ、管体の軸に対して回動可能なチューブ接続部と、
を具備し、チューブのねじれを手もとで解消可能としたことを特徴とする吸引嘴管。
【請求項２】
管体は、二箇所それぞれ１１０°〜１６０°鈍角に曲げられ、先端側管部と、中間管部と、基端側管部とを形成し、先端側管部、中間管部および基端側管部は同一平面内にあり、
先端側にある屈曲位置から吸引口先端までの長さＬ１、中間管部の長さＬ２、基端側にある屈曲位置からチューブ接続部基端までの長さＬ３は、
６×Ｌ３≧Ｌ１＋Ｌ２≧４×Ｌ３、
３×Ｌ３≧Ｌ１≧Ｌ３、
Ｌ２＞Ｌ１、
の関係にあることを特徴とする請求項１に記載の吸引嘴管。
【請求項３】
チューブ接続部は、管体に固定された回動上部と、管体に対し相対的に回動する回動下部とからなり、回動下部の表面は、回動角に応じて色分けされていることを特徴とする請求項１または２に記載の吸引嘴管。
【発明の詳細な説明】
【技術分野】
【０００１】
本発明は、吸引嘴管に関し、特に、チューブのねじれを手もとで解消可能な吸引嘴管に関する。
【背景技術】
【０００２】
従来、外科手術等においては、しみ出してくる血液やリンパ液といった体液を吸引嘴管で吸引し、術野の視認性を確保している。吸引嘴管は、中途が屈曲し、基端側は手で持ったり術野近傍に配置し、術野に先端を進入させやすいようにしている。また、基端にはチューブが取り付けられ、陰圧により体液を吸引するようにしている。
【０００３】
吸引嘴管の配置は、患者の血管等の位置や太さが異なるので、個々の手術により異なり一定しない。このため、吸引嘴管に接続するチューブにはその取り回しによってはキンクが生じる可能性がある。従って、従来では、チューブの中途に回動可能な接合管を設け、これによりヨレを取り除いていた。
【０００４】
しかしながら、従来の技術では以下の問題点があった。
チューブ中途に接合管がある場合、接合管部分ではヨレがないように回動させたつもりでも、接合管から吸引嘴管までのチューブに回動応力が残存することがあり、必ずしも安定的な配置が確保できない場合があるという問題点があった。
【０００５】
また、手術中に吸引嘴管の位置をずらす場合には、再度接合管を回動させる必要性があり、必ずしも円滑に作業が進まない場合があるという問題点があった。特にチューブが長く接合管が離れた位置にある場合には、ヨレを確認しにくく、回動の位置決めに時間がかかるという問題点もあった。また、接合管が接地したり他に触れたりする可能性もあり、これを手術中に触るのは医療上好ましくないという問題点もある。
【先行技術文献】
【特許文献】
【０００６】
【特許文献１】ＷＯ２００２／０８９７２２号公報
【特許文献２】特開２００８−１１９２３７号公報
【発明の概要】
【発明が解決しようとする課題】
【０００７】
本発明は上記に鑑みてなされたものであって、取り回しが良好で安定配置のできる吸引嘴管を提供することを目的とする。
【課題を解決するための手段】
【０００８】
請求項１に記載の吸引嘴管は、基端側にチューブを取り付け、手術中に血液その他の体液を吸引する吸引嘴管であって、中途で少なくとも一箇所曲げられた管体と、管体先端に取り付けられた吸引口と、管体基端に取り付けられ、管体の軸に対して回動可能なチューブ接続部と、を具備し、チューブのねじれを手もとで解消可能としたことを特徴とする。
【０００９】
すなわち、請求項１にかかる発明は、手もとでヨレを戻し、簡便かつ迅速に吸引嘴管を取り回し、安定配置することができる。
【００１０】
管体は、円滑な吸引を実現するため、管体内径がほぼ変わらないように曲げられているのが好ましい。吸引口の形状は特に限定されないが、陰圧により体内組織に密着し吸引が阻害されないように適宜スリットが設けられていることが好ましい。また、チューブ接続部の接続形状は特に限定されないが、チューブの抜けを防止すべく多段の反し（凹凸）が形成された例を挙げることができる。
【００１１】
なお、吸引嘴管に管体の中途に持ち手（ハンドル）を設けるようにしても良い。使用の態様により持ち手を、管体の外側を包む三角柱様とし、かつ、軸に対してある程度抵抗のある回動体として構成しても良い。三角柱様であるため、持ちやすく、また、術野近傍に安定載置が可能となる。
【００１２】
請求項２に記載の吸引嘴管は、請求項１に記載の吸引嘴管において、管体は、二箇所それぞれ１１０°〜１６０°鈍角に曲げられ、先端側管部と、中間管部と、基端側管部とを形成し、先端側管部、中間管部および基端側管部は同一平面内にあり、先端側にある屈曲位置から吸引口先端までの長さＬ１、中間管部の長さＬ２、基端側にある屈曲位置からチューブ接続部基端までの長さＬ３は、６×Ｌ３≧Ｌ１＋Ｌ２≧４×Ｌ３、３×Ｌ３≧Ｌ１≧Ｌ３、Ｌ２＞Ｌ１、の関係にあることを特徴とする。
【００１３】
すなわち、請求項２にかかる発明は、使用感に優れ安定載置を実現する簡便な構成の吸引嘴管を提供することができる。特に、吸引嘴管を二段階に折り曲げた構造としているので、一段階の折り曲げの場合はヨレの力が折れ曲がり位置の一点にかかりやすく載置の不安定を招来しやすいところ、二段階の折れ曲がりでこれを分散し、かつ、基端側管部が短くチューブ接続部による回動がチューブの回動応力を速やかに分散ないし解消させるので一層の安定配置が可能となる。
【００１４】
先端側管部と、中間管部と、基端側管部とが同一平面内にあるとは、先端側管部と基端側管部とがねじれの位置関係でなく、同じ方向に曲げられていることを意味する。この配向関係によっても、吸引嘴管がどちらかに回転しやすいということが生じず安定配置に資することとなる。
【００１５】
請求項３に記載の吸引嘴管は、請求項１または２に記載の吸引嘴管において、チューブ接続部は、管体に固定された回動上部と、管体に対し相対的に回動する回動下部とからなり、回動下部の表面は、回動角に応じて色分けされていることを特徴とする。
【００１６】
すなわち、請求項３にかかる発明は、回動状態の視認性が良く、例えば、使用中に配色境界の位置や色が変われば回動を早期に発見でき、載置の不安定化を認識可能となる。
【００１７】
なお、色分けは例えば半周で二色切り替えとしてもよいし、１／３ずつの３色切り替えとしても良い。
【発明の効果】
【００１８】
本発明によれば、取り回しが良好で安定載置の可能な吸引嘴管を提供することができる。
【図面の簡単な説明】
【００１９】
【図１】本発明の吸引嘴管の一構成例を示した説明図である。
【図２】接続部３０の断面図である。
【図３】吸引嘴管の他の構成例を示した説明図である。
【発明を実施するための形態】
【００２０】
以下、本発明の実施の形態を図面を参照しながら詳細に説明する。なお図については、説明の便宜上、各構成部の縮尺を適宜変更して描画する。
図１は、本発明の吸引嘴管の一構成例を示した説明図である。図示したように、吸引嘴管１は、基体となる管体１０、先端に取り付けられた吸引口２０、基端に取り付けられた接続部３０、を主要な構成としている。また、基端側にはチューブ４０が接続されている。なお、以下で説明するように、吸引嘴管１は二箇所で屈曲しており、以降では先端側から基端側にかけて、それぞれ、先端側管部２、中間管部３、基端側管部４と適宜称することとする。
【００２１】
管体１０は、管１１とハンドル１２とにより構成される。管体１０は、長さが約２５ｃｍ、外径５．１５mm、内径４．３０ｍｍのステンレス管であり、中途で二箇所屈曲している。なお、内径は屈曲位置でほぼ変わらないように加工してある。
【００２２】
屈曲角度は、中間管部３と先端側管部２のなす角度約１４０°、中間管部３と基端側管部４のなす角度約１６０°としており、後述の各部の長さとの関係により、吸引口２０が術野に良好に進入する構成となっている。なお、管１１は同一平面内にあるようにしている（先端側管部２と基端側管部４とがねじれの位置関係とならないようにしている）。これにより、右側に傾きやすい、左側に倒れやすい、といったことがなく吸引嘴管１の配置対称性が確保される。
【００２３】
ハンドル１２は、中間管部３に外挿された略三角柱体であり、この形状により握持持性ないし保持性を良くしている。ハンドル１２はＰＣ製であり、内周に被膜を設けて所定の力をかけることにより中間管部３に対して軸回動可能としている。これにより、術野近傍に載置する際に三角柱の一面を体と面接触させることができ、載置安定性が高まる。
【００２４】
吸引口２０は、嘴先２１と固定チップ２２とにより構成される。嘴先２１もＰＣ製であり、管体１０の先端に延伸して取り付けられる管であって固定チップ２２により管１１と接合固定される。嘴先２１の先端は開口しているのに加えて側周に軸に沿って５ｍｍ長のスリット２３を複数設けている。スリット２３により、開口部が体内組織に吸着することなく体液を連続的に吸引可能となる。なお、嘴先２１およびスリット２３はＲ加工してあり、組織を傷つけないようにしている。
【００２５】
接続部３０は、回動上部３１と回動下部３２により構成される。図２は、接続部３０の断面図である。回動上部３１は、管１１の基端に外挿固定される。回動下部３２は、多段円筒形であり、回動上部３１に対してＯリング３３を介して気密性を保ちつつ自由に回動可能にしている。また、回動下部３２の基端側にはチューブ４０を外挿し、抜けを防止すべく、多段の円環状の爪３４を備える。回動上部３１と回動下部３２もＰＣ製である。
【００２６】
接続部３０は、管体１０に対して軸回動するので、手もとでチューブ４０のヨレを解消でき、操作性が高い。よって、不意なキンクが生じた場合でも術野近くでこれを解消でき、他所を触るなどして解消する従来の吸引嘴管と異なり衛生性が保たれる。
【００２７】
また、回動下部３２の表面は１２０°軸対称に、緑、青、黒に色分けしている。これは、手術中に吸引嘴管１を移動させるときなど、直前の回動角度を視覚的に把握でき、載置し直す際のヨレ防止に資するためである。また、適宜自然に回動した場合などは、載置不安定性を認識でき、また、チューブ４０にキンクが生じていないかを確認することもできる。
【００２８】
なお、吸引嘴管１は、先端側管部２の長さＬ１、中間管部３の長さＬ２、基端側管部４の長さＬ３として、
Ｌ１＋Ｌ２≒５×Ｌ３、
Ｌ１≒２×Ｌ３、
としている。
【００２９】
吸引嘴管１は、このような長さ配分で二箇所で屈曲しているが、Ｌ３の長さが短く、チューブ４０に残存している回動応力がある場合であっても、一箇所屈曲の場合より載置安定化が図れることとなる。
【００３０】
以上説明したように、本発明の吸引嘴管１は、安定載置ないし安定配置が可能であり、チューブ４０のキンクを手もとで簡便に矯正可能であって、円滑な吸引処置を実現できる。
【００３１】
なお、本発明は、以上説明した態様に限定されない。例えば、ハンドルの形状は、扁平な板状であっても良く、また、Ｌ１＋Ｌ２≒６×Ｌ３，Ｌ１≒３×Ｌ３としたものであっても良い。また、先端側の屈曲位置の角度を深部吸引用に１３５°（図３）や場合により９０°とすることもできる。
【００３２】
また、Ｏリング等により、気密性を保ちつつ、回動抵抗が極めて小さいものとしても良く、反対に、ハンドルと同様に所定の負荷をかけなければ回動しないものとしてもよい。
【産業上の利用可能性】
【００３３】
本発明によれば、開胸手術、開腹手術、開頭手術、等各種の外科手術に利用することができる。
【符号の説明】
【００３４】
１        吸引嘴管
２        先端側管部
３        中間管部
４        基端側管部
１０     管体
１１     管
１２     ハンドル
２０     吸引口
２１     嘴先
２２     固定チップ
２３     スリット
３０     接続部
３１     回動上部
３２     回動下部
３３     Oリング
３４     爪
４０     チューブ
【図１】
2014054343.tif 000003
【図２】
2014054343.tif 000004
【図３】
2014054343.tif 000005